(57)【要約】【課題】導光板の出光面から出射される光の輝度の広がりを抑制する。【解決手段】光が入射する入光面を側方に有し、入光面から入射する光を出光面から出射する概略平板状の導光板であって、平板部と、平板部の平面に設けられ、平面の法線方向から見て、入光面に対して垂直方向に延在する複数の凸条及び凹条の少なくとも一方と、を備え、複数の凸条及び凹条は平面に対して傾斜する傾斜面を有し、出光面は、複数の凸条及び凹条の少なくとも一方の傾斜面によって形成され、平面と凸条及び凹条の少なくとも一方の端部における傾斜面の接線とでなす角度が３０度以上７０度以下である。【選択図】図３Ａ
2019029334.tif 000002
【特許請求の範囲】
【請求項１】
光が入射する入光面を側方に有し、前記入光面から入射する光を出光面から出射する概略平板状の導光板であって、
平板部と、
前記平板部の平面に設けられ、前記平面の法線方向から見て、前記入光面に対して垂直方向に延在する複数の凸条及び凹条の少なくとも一方と、
を備え、
前記複数の凸条及び凹条は前記平面に対して傾斜する傾斜面を有し、
前記出光面は、前記複数の凸条及び凹条の少なくとも一方の前記傾斜面によって形成され、
前記平面と前記凸条及び前記凹条の少なくとも一方の端部における前記傾斜面の接線とでなす角度が３０度以上７０度以下である、
導光板。
【請求項２】
前記平面と前記凸条及び前記凹条の少なくとも一方の端部における前記傾斜面の接線とでなす角度が４５度以上６０度以下である、
請求項１に記載の導光板。
【請求項３】
前記傾斜面は、曲面を含む、
請求項１又は２に記載の導光板。
【請求項４】
前記傾斜面は、曲面及び平坦面を含み、
前記平面と前記凸条及び前記凹条の少なくとも一方の端部における前記平坦面とでなす角度が３０度以上７０度以下である、
請求項１に記載の導光板。
【請求項５】
前記傾斜面は、曲面及び平坦面を含み、
前記平面と前記凸条及び前記凹条の少なくとも一方の端部における前記平坦面とでなす角度が４５度以上６０度以下である、
請求項１に記載の導光板。
【請求項６】
前記複数の凸条及び凹条の少なくとも一方を除いた前記導光板の厚みが０．２ｍｍ以上１．０ｍｍ以下である、
請求項１から５の何れか一項に記載の導光板。
【請求項７】
前記複数の凸条及び凹条の少なくとも一方が隙間なく前記平面に配置されている、
請求項１から６の何れか一項に記載の導光板。
【請求項８】
前記複数の凸条及び凹条の少なくとも一方が一定の間隔を空けて前記平面に配置され、
前記出光面は、前記複数の凸条及び凹条の少なくとも一方の前記傾斜面と前記平面とによって形成されている、
請求項１から３の何れか一項に記載の導光板。
【請求項９】
光が入射する入光面を側方に有し、前記入光面から入射する光を出光面から出射する概略平板状の導光板であって、
平板部と、
前記平板部の平面に設けられ、前記平面の法線方向から見て、前記入光面に対して垂直方向に延在する複数の凸条及び凹条の少なくとも一方と、
を備え、
前記複数の凸条及び凹条の少なくとも一方が一定の間隔を空けて前記平面に配置され、
前記複数の凸条及び凹条は前記平面に対して傾斜する傾斜面を有し、
前記出光面は、前記複数の凸条及び凹条の少なくとも一方の前記傾斜面と前記平面とによって形成され、
前記平面と前記凸条及び前記凹条の少なくとも一方の端部における前記傾斜面の接線とでなす角度が３０度以上８０度以下である、
導光板。
【請求項１０】
前記平面と前記凸条及び前記凹条の少なくとも一方の端部における前記傾斜面の接線とでなす角度が４５度以上６０度以下である、
請求項９に記載の導光板。
【請求項１１】
前記傾斜面は、曲面を含む、
請求項９又は１０に記載の導光板。
【請求項１２】
前記傾斜面は、曲面及び平坦面を含み、
前記平面と前記凸条及び前記凹条の少なくとも一方の端部における前記平坦面とでなす角度が３０度以上８０度以下である、
請求項９に記載の導光板。
【請求項１３】
前記傾斜面は、曲面及び平坦面を含み、
前記平面と前記凸条及び前記凹条の少なくとも一方の端部における前記平坦面とでなす角度が４５度以上６０度以下である、
請求項９に記載の導光板。
【請求項１４】
前記複数の凸条及び凹条の少なくとも一方を除いた前記導光板の厚みが０．２ｍｍ以上１．０ｍｍ以下である、
請求項９から１３の何れか一項に記載の導光板。
【請求項１５】
請求項１から１４の何れか一項に記載の導光板と、
前記入光面と対向する位置に配置された光源と、
を備える面光源装置。
【請求項１６】
請求項１から１４の何れか一項に記載の導光板と、
第１の光源と、
第２の光源と、
を備え、
前記入光面は、第１の入光面及び第２の入光面を含み、
前記第１の入光面と前記第２の入光面とが対向しており、
前記第１の光源は、前記第１の入光面と対向する位置に配置され、
前記第２の光源は、前記第２の入光面と対向する位置に配置されている、
面光源装置。
【請求項１７】
請求項１５又は１６に記載の面光源装置と、
前記面光源装置から出射される光を受ける表示パネルと、
を備える表示装置。
【請求項１８】
請求項１７に記載の表示装置を備える電子機器。
【発明の詳細な説明】
【技術分野】
【０００１】
本発明は、導光板、面光源装置、表示装置及び電子機器に関する。
【背景技術】
【０００２】
近年、電子機器の小型化、薄型化が進んでいる。このような電子機器に搭載される液晶表示装置には、同一の面積でより大きな表示領域を得るための狭額縁化や、薄型化のニーズがある。表示パネルのバックライトには、例えば、白色光を出射するＬＥＤ（Light Emitting Diode）を光源とし、導光板（ライトガイドとも呼ばれる）を用いたサイドライトタイプ（エッジライト方式とも呼ばれる）の面光源装置が用いられている。液晶表示装置では、画面を複数の領域（点灯エリア）に分割し、複数の領域毎に発光輝度を制御することが行われている。このような制御は、ローカルディミング制御と呼ばれる。ローカルディミングの適用が可能なエッジライト方式の面光源装置が提案されている（特許文献１参照）。ローカルディミングの効率が向上可能な導光板及びエッジライト型バックライトが提案されている（特許文献２参照）。
【先行技術文献】
【特許文献】
【０００３】
【特許文献１】特開２０１３−０６９６６８号公報
【特許文献２】特開２０１３−１２７９６６号公報
【発明の概要】
【発明が解決しようとする課題】
【０００４】
光源から出射された光は、導光板に入射され、導光板の内部で反射を繰り返しながら導光板の内部を進む。導光板の出光面に入射する光が、臨界角よりも小さな入射角で入射すると、導光板の出光面から外部に光が出射される。導光板の出光面から出射される光の輝度の広がりが大きい場合、ローカルディミング制御において、狭い幅の領域における発光輝度の制御が困難になる。
【０００５】
このような状況に鑑み、本発明は、導光板の出光面から出射される光の輝度の広がりを抑制することを目的とする。
【課題を解決するための手段】
【０００６】
本発明では、上記課題を解決するために、以下の手段を採用した。すなわち、本発明は、光が入射する入光面を側方に有し、入光面から入射する光を出光面から出射する概略平板状の導光板であって、平板部と、平板部の平面に設けられ、平面の法線方向から見て、入光面に対して垂直方向に延在する複数の凸条及び凹条の少なくとも一方と、を備え、複数の凸条及び凹条は平面に対して傾斜する傾斜面を有し、出光面は、複数の凸条及び凹条の少なくとも一方の傾斜面によって形成され、平面と凸条及び凹条の少なくとも一方の端部における傾斜面の接線とでなす角度が３０度以上７０度以下である、導光板である。
【０００７】
本発明に係る導光板によれば、導光板が備える平板部の平面と凸条及び凹条の少なくとも一方の端部における傾斜面の接線とでなす角度を３０度以上７０度以下とすることにより、導光板の出光面から出射される光の輝度の広がりを抑制することができる。
【０００８】
本発明に係る導光板において、平板部の平面と凸条及び凹条の少なくとも一方の端部における傾斜面の接線とでなす角度が４５度以上６０度以下であってもよい。本発明に係る導光板において、傾斜面は、曲面を含んでもよい。本発明に係る導光板において、傾斜面
は、曲面及び平坦面を含み、平面と凸条及び凹条の少なくとも一方の端部における平坦面とでなす角度が３０度以上７０度以下であってもよい。本発明に係る導光板において、傾斜面は、曲面及び平坦面を含み、平面と凸条及び凹条の少なくとも一方の端部における平坦面とでなす角度が４５度以上６０度以下であってもよい。本発明に係る導光板において、複数の凸条及び凹条の少なくとも一方を除いた導光板の厚みが０．２ｍｍ以上１．０ｍｍ以下であってもよい。本発明に係る導光板において、複数の凸条及び凹条の少なくとも一方が隙間なく平板部の平面に配置されていてもよい。本発明に係る導光板において、複数の凸条及び凹条の少なくとも一方が一定の間隔を空けて平板部の平面に配置され、出光面は、複数の凸条及び凹条の少なくとも一方の傾斜面と平面とによって形成されてもよい。
【０００９】
また、本発明は、光が入射する入光面を側方に有し、入光面から入射する光を出光面から出射する概略平板状の導光板であって、平板部と、平板部の平面に設けられ、平面の法線方向から見て、入光面に対して垂直方向に延在する複数の凸条及び凹条の少なくとも一方と、を備え、複数の凸条及び凹条の少なくとも一方が一定の間隔を空けて前記平面に配置され、複数の凸条及び凹条は平面に対して傾斜する傾斜面を有し、出光面は、複数の凸条及び凹条の少なくとも一方の傾斜面と平面とによって形成され、平面と凸条及び凹条の少なくとも一方の端部における傾斜面の接線とでなす角度が３０度以上８０度以下である、導光板である。
【００１０】
本発明に係る導光板によれば、導光板が備える平板部に複数の凸条及び凹条の少なくとも一方を一定の間隔を空けて配置し、平板部の平面と凸条及び凹条の少なくとも一方の端部における傾斜面の接線とでなす角度を３０度以上８０度以下とすることにより、導光板の出光面から出射される光の輝度の広がりを抑制することができる。
【００１１】
本発明に係る面光源装置は、本発明に係る導光板と、入光面と対向する位置に配置された光源と、を備える。本発明に係る面光源装置は、本発明に係る導光板と、第１の光源と、第２の光源と、を備え、入光面は、第１の入光面及び第２の入光面を含み、第１の入光面と第２の入光面とが対向しており、第１の光源は、第１の入光面と対向する位置に配置され、第２の光源は、第２の入光面と対向する位置に配置されている。本発明に係る表示装置は、本発明に係る面光源装置と、面光源装置から出射される光を受ける表示パネルと、を備える。本発明に係る電子機器は、本発明に係る表示装置を備える。
【発明の効果】
【００１２】
本発明によれば、導光板の出光面から出射される光の輝度の広がりを抑制することができる。
【図面の簡単な説明】
【００１３】
【図１】図１は、実施形態に係る液晶表示装置の構成を例示する斜視図である。
【図２】図２は、実施形態に係る面光源装置の構成を例示する斜視図である。
【図３Ａ】図３Ａは、実施形態に係る導光板を示す図である。
【図３Ｂ】図３Ｂは、実施形態に係る導光板を示す図である。
【図４Ａ】図４Ａは、導光板の上面から出射される光束の幅と、レンチキュラーの角度との関係を説明する図である。
【図４Ｂ】図４Ｂは、導光板の上面から出射される光束の幅と、レンチキュラーの角度との関係を説明する図である。
【図４Ｃ】図４Ｃは、導光板の上面から出射される光束の幅と、レンチキュラーの角度との関係を説明する図である。
【図５Ａ】図５Ａは、導光板の上面から出射される光の輝度分布を示す図である。
【図５Ｂ】図５Ｂは、導光板の上面から出射される光の輝度分布を示す図である。
【図５Ｃ】図５Ｃは、導光板の上面から出射される光の輝度分布を示す図である。
【図６】図６は、導光板の上面から出射される光の輝度と、レンチキュラーの角度との関係を示す図である。
【図７】図７は、導光板の上面から出射される光の輝度の半値全幅の説明図である。
【図８】図８は、コントラスト比と、レンチキュラーの角度との関係を示す図である。
【図９】図９は、コントラスト比の説明図である。
【図１０】図１０は、導光板の上面から出射される光の輝度分布を示す図である。
【図１１】図１１は、導光板の厚みと、コントラスト比と、レンチキュラーの角度との関係を示す図である。
【図１２Ａ】図１２Ａは、導光板の上面から出射される光の輝度分布を示す図である。
【図１２Ｂ】図１２Ｂは、導光板の上面から出射される光の輝度分布を示す図である。
【図１３Ａ】図１３Ａは、実施形態に係る導光板を示す図である。
【図１３Ｂ】図１３Ｂは、導光板の上面から出射される光の輝度分布を示す図である。
【図１３Ｃ】図１３Ｃは、平坦部が設けられていない導光板及び平坦部が設けられた導光板におけるコントラスト比を示す図である。
【図１４Ａ】図１４Ａは、実施形態に係る導光板を示す図である。
【図１４Ｂ】図１４Ｂは、実施形態に係る導光板を示す図である。
【図１５】図１５は、実施形態に係る導光板を示す図である。
【図１６Ａ】図１６Ａは、実施形態に係る導光板を示す図である。
【図１６Ｂ】図１６Ｂは、実施形態に係る導光板を示す図である。
【図１７】図１７は、実施形態に係る導光板を示す図である。
【図１８】図１８は、実施形態に係る導光板を示す図である。
【図１９Ａ】図１９Ａは、実施形態に係る導光板を示す図である。
【図１９Ｂ】図１９Ｂは、実施形態に係る導光板を示す図である。
【図１９Ｃ】図１９Ｃは、実施形態に係る導光板を示す図である。
【図１９Ｄ】図１９Ｄは、実施形態に係る導光板を示す図である。
【図１９Ｅ】図１９Ｅは、実施形態に係る導光板を示す図である。
【図２０Ａ】図２０Ａは、導光板の上面から出射される光の輝度分布を示す図である。
【図２０Ｂ】図２０Ｂは、導光板におけるコントラスト比を示す図である。
【図２１Ａ】図２１Ａは、実施形態に係る導光板を示す図である。
【図２１Ｂ】図２１Ｂは、実施形態に係る導光板を示す図である。
【図２１Ｃ】図２１Ｃは、実施形態に係る導光板を示す図である。
【図２２Ａ】図２２Ａは、実施形態に係る導光板を示す図である。
【図２２Ｂ】図２２Ｂは、実施形態に係る導光板を示す図である。
【図２２Ｃ】図２２Ｃは、実施形態に係る導光板を示す図である。
【図２３Ａ】図２３Ａは、実施形態に係る導光板を示す図である。
【図２３Ｂ】図２３Ｂは、実施形態に係る導光板を示す図である。
【図２３Ｃ】図２３Ｃは、実施形態に係る導光板を示す図である。
【発明を実施するための形態】
【００１４】
以下、本発明の実施の形態を、図面に基づいて説明する。なお、以下に説明する実施の形態は、本発明を実施する一例を示すものであって、本発明を以下に説明する具体的な構成に限定するものではない。
【００１５】
以下の実施形態では、「表示装置」は、液晶表示装置として説明され、「面光源装置」
は、液晶表示装置のバックライトユニットとして説明される。なお、「面光源装置」は、表示パネルや電子ペーパによる表示装置の前面に配置されるフロントライト等、バックライトユニット以外の用途で利用されてもよい。
【００１６】
（液晶表示装置の構成）
図１は、実施形態に係る液晶表示装置の構成を例示する斜視図である。図１に示すように、液晶表示装置は、バックライトユニットとして配置される面光源装置１と、面光源装置１から出射される光を受ける表示パネル２とを備える。表示パネル２は、ガラス板に挟まれて封入された液晶に電圧をかけて光の透過率を増減等させることで、像を表示する。以下、面光源装置１における、表示パネル２側を上面側として、その反対面側を下面側として説明することがある。
【００１７】
（面光源装置１の構成）
図２は、実施形態に係る面光源装置１の構成を例示する斜視図である。実施形態に係る面光源装置１は、導光板１０、光源１１、フレキシブルプリント基板（以下、「ＦＰＣ」とも表記する）１２、固定部材１３及びフレーム１４を備える。また、面光源装置１は、導光板１０の下面側に配置される反射シート１５、導光板１０の上面側に順に積層される拡散シート１６、プリズムシート１７及び遮光両面テープ１８を備える。
【００１８】
導光板１０は、概略平板状であり、ポリカーボネート樹脂やポリメチルメタクリレート樹脂等の透光性の素材で形成されている。導光板１０の上面は、光が出射する出光面であり、表示パネル２と向かい合う面である。導光板１０は、光源１１から導光板１０内に入射された光を出光面に導き、出光面の全体又は一部分が光る。導光板１０は、導光板本体と、導光板本体の高さよりも高い光導入部とを備えてもよい。光源１１から出射された光が、光導入部から導光板本体内に効率よく入射し、導光板１０の光利用効率が向上する。導光板本体が光導入部よりも薄いことで、面光源装置１の薄型化が向上し、面光源装置１を備える液晶表示装置の薄型化が向上する。ただし、実施形態に係る導光板１０は、光導入部を有しない平板形状であってもよい。
【００１９】
光源１１は、白色光を蛍光部から出射する。光源１１は、例えば、ＬＥＤパッケージであるが、ＬＥＤパッケージ以外の光源が用いられてもよい。光源１１は、発光素子であるＬＥＤチップが蛍光体を含む透光性樹脂（樹脂層）で封止されて形成されている。若しくは、ＬＥＤチップ上に蛍光体を配置せずに、導光板１０の出光面上に蛍光体層を配置してもよいし、反射シート１５上に蛍光体層を配置してもよい。光源１１は、ＦＰＣ１２からの給電を受けて駆動し、点灯する。なお、光源１１として、白色以外のＬＥＤ光源が用いられてもよい。光源１１は、導光板１０の入光面と対向する位置に配置されている。例えば、光源１１の発光面が、導光板１０の入光面と対向するようにして、光源１１がＦＰＣ１２に実装されている。ＦＰＣ１２に複数の光源１１が一定の間隔で一列に実装されてもよい。
【００２０】
ＦＰＣ１２は、可撓性のある絶縁性フィルムである基材に、導体箔によって配線を設け、表面に保護用の絶縁性フィルムであるカバーレイ又はレジン（感光性樹脂）を接着させて構成される配線基板である。ＦＰＣ１２に配線が設けられている。ＦＰＣ１２の配線は、光源１１への電力供給等に用いられる。固定部材１３は、ＦＰＣ１２の下面等に配置され、ＦＰＣ１２を導光板１０に固定する。固定部材１３は、例えば、上下面が粘着面となった両面粘着テープである。
【００２１】
フレーム１４は、導光板１０、光源１１、ＦＰＣ１２、固定部材１３、反射シート１５、拡散シート１６及びプリズムシート１７を収容する。フレーム１４は、導光板１０の側面を囲む枠体（枠状部材）であってもよいし、導光板１０の側面を囲む枠体と、枠体が立
設された底板とを有する箱体（箱状部材）であってもよい。枠体は、４辺の側壁部材、開口を有する円形の側壁部材又は開口を有する楕円形の側壁部材によって形成されていてもよい。また、枠体の４辺の側壁部材のコーナー部分が直角形状であってもよいし、枠体の４辺の側壁部材のコーナー部分がＲ形状であってもよい。
【００２２】
反射シート１５は、導光板１０の下面と接するようにして配置される。導光板１０の下面は、導光板１０の上面の反対側の面である。反射シート１５は、多層膜構造を有する高反射フィルムまたは反射率の高い白色樹脂シートや金属箔等からなる平滑なシートであり、導光板１０内の光が面光源装置１の下面から漏れないように光を反射する。フレーム１４が、枠体及び底板を有する箱体である場合、反射シート１５は、導光板１０とフレーム１４の底板との間に配置される。
【００２３】
導光板１０上に、拡散シート１６と、１枚又は２枚のプリズムシート１７と、が配置される。拡散シート１６は、半透明な樹脂フィルムであり、導光板１０の出光面から出射された光を拡散させて光の指向特性を広げる。プリズムシート１７は、上面に三角プリズム状の微細なパターンが形成された透明な樹脂フィルムであり、拡散シート１６によって拡散された光を集光し、面光源装置１を上面側から見た場合の輝度を上昇させる。遮光両面テープ１８は、上下両面が粘着面となった黒色の粘着テープである。遮光両面テープ１８は、額縁状（リング状）である。遮光両面テープ１８は、フレーム１４の外周部分に沿って配置され、面光源装置１の外部に光が漏れ出ることを抑制している。
【００２４】
（導光板１０の構成）
図３Ａ及び図３Ｂは、実施形態に係る導光板１０を示す図である。導光板１０は、光源１１から出射された光が入射する入光面２０と、入光面２０から入射する光を出射する出光面とを有する。導光板１０の出光面は、表示パネル２側に向けられており、以下では、導光板１０の出光面を、導光板１０の上面２１とし、導光板１０の出光面の反対側の面（反対面）を、導光板１０の下面２２として説明する。導光板１０の下面２２は、導光板１０の入光面２０に対して略９０度傾いている。光源１１から出射された光は、導光板１０の入光面２０から導光板１０の内部に入り、導光板１０の上面２１及び下面２２で全反射を繰り返しながら導光板１０の内部を進む。導光板１０の上面２１に入射する光が、臨界角よりも小さな入射角で入射すると、導光板１０の上面２１から外部に光が出射される。
【００２５】
図３Ｂに示すように、導光板１０は、平板部３０と、平板部３０の平面３１に設けられた複数のレンチキュラー２３を備える。図３Ｂは、実施形態に係る導光板１０を示す図であって、図３Ｂは、導光板１０の入光面２０側から見た場合の導光板１０が示されている。複数のレンチキュラー２３は、曲面２３Ａを有している。曲面２３Ａは、平面３１に対して傾斜している。したがって、レンチキュラー２３は平面３１に対して傾斜する傾斜面を有する。複数のレンチキュラー２３の曲面２３Ａによって、導光板１０の上面２１が形成されている。各レンチキュラー２３は、平板部３０の平面３１の法線方向から見て、導光板１０の入光面２０に対して垂直方向に延在する凸条である。したがって、レンチキュラー２３の曲面２３Ａが、平板部３０の平面３１の法線方向に向かって平板部３０の平面３１よりも突出している。導光板１０がレンチキュラー２３を備えることにより、導光板１０の上面２１から出射される光の分布が制御され、導光板１０の上面２１から出射される光の輝度分布を制御できる。複数のレンチキュラー２３は、互いに平行に並んで配置されている。複数のレンチキュラー２３は、連続して配置されており、隣り合う２つのレンチキュラー２３同士が繋がっている。したがって、複数のレンチキュラー２３が、平板部３０の平面３１に隙間なく配置されている。レンチキュラー２３の幅（レンチキュラー２３の短手方向の長さ）と、レンチキュラー２３のピッチとが同一である。レンチキュラー２３は、射出成形によって製造される導光板１０に一体に形成されてもよい。
【００２６】
図４Ａ〜図４Ｃは、導光板１０の上面２１から出射される光束の幅と、レンチキュラー２３の角度との関係を説明する図である。図４Ａ及び図４Ｂは、導光板１０の入光面２０側から見た場合の導光板１０が示されている。図４Ａに示すレンチキュラー２３の角度は、図４Ｂに示すレンチキュラー２３の角度よりも小さい。レンチキュラー２３の角度は、レンチキュラー２３の接触角である。すなわち、レンチキュラー２３の角度は、平板部３０の平面３１と、レンチキュラー２３の端部における曲面２３Ａの接線Ｌ１とでなす角度（θ）である（図４Ｃ参照）。例えば、レンチキュラー２３の角度が小さくなると、導光板１０の上面２１への入射光に対するレンチキュラー２３の曲面の角度が小さくなるため、光の入射角が臨界角度を越えづらくなり、導光板１０の上面２１から光が出射されにくくなる。したがって、図４Ａに示すように、レンチキュラー２３の角度が小さくなると、導光板１０の上面２１から出射される光束の幅Ｗ１が広くなる。例えば、レンチキュラー２３の角度が大きくなると、導光板１０の上面２１への入射光に対するレンチキュラー２３の曲面の角度が大きくなるため、入射角が臨界角度を越えやすくなり、導光板１０の上面２１から光が出射されやすくなる。図４Ｂに示すように、レンチキュラー２３の角度が大きくなると、導光板１０の上面２１から出射される光束の幅Ｗ２が狭くなる。このように、レンチキュラー２３の角度が大きいほど、導光板１０の上面２１から光が出射しやすいため、導光板１０の上面２１から出射される光の輝度分布を制御しやすくなる。
【００２７】
図５Ａ〜図５Ｃには、導光板１０の上面２１から出射される光の輝度分布が示されている。図５Ａに示す導光板１０のレンチキュラー２３の角度は、図５Ｂに示す導光板１０のレンチキュラー２３の角度よりも小さい。図５Ａ及び図５Ｂでは、一つの光源１１から出射された光が、導光板１０に入射されている。図５Ａに示すように、導光板１０の上面２１から出射される光の輝度が、導光板１０の横幅方向（図５ＡのＸ方向）に広がっている。導光板１０の横幅方向は、光源１１の光軸と直交する方向である。
【００２８】
これに対して、図５Ｂに示すように、導光板１０の上面２１から出射される光の輝度が、導光板１０の横幅方向（図５ＢのＸ方向）に向かって広がることが抑制されている。図５Ｃは、導光板１０の上面２１から出射される光の輝度の広がりを示している。図５Ｃの縦軸は、導光板１０の上面２１から出射される光の輝度であり、図５Ｃの横軸は、導光板１０の横幅（ｍｍ）である。図５Ｃの点線Ｃは、図５Ａの一点鎖線Ａ−Ａにおいて、導光板１０の上面２１から出射される光の輝度である。図５Ｃの実線Ｄは、図５Ｂの一点鎖線Ｂ−Ｂにおいて、導光板１０の上面２１から出射される光の輝度である。
【００２９】
図６は、導光板１０の上面２１から出射される光の輝度と、レンチキュラー２３の角度との関係を示す図である。図６の縦軸は、導光板１０の上面２１から出射される光の輝度の半値全幅であり、図６の横軸は、レンチキュラー２３の角度である。導光板１０の上面２１から出射される光の輝度の半値全幅とは、図７に示すように、導光板１０の上面２１から出射される光の輝度のピークの半分の値における幅（Ｗ３）である。図７の縦軸は、導光板１０の上面２１から出射される光の輝度であり、図７の横軸は、光源１１の光軸からの距離である。図６において、レンチキュラー２３の角度が１５度である場合の半値全幅を１．０としてプロットしている。図６におけるレンチキュラー２３の角度が３０度、４５度、６０度、７５度である場合の半値全幅は、レンチキュラー２３の角度が１５度である場合の半値全幅に対する比である。図６に示すように、レンチキュラー２３の角度が３５度以上７５度以下である場合の半値全幅は、レンチキュラー２３の角度が１５度である場合の半値全幅の半分以下である。
【００３０】
図８は、コントラスト比と、レンチキュラー２３の角度との関係を示す図である。図８の縦軸は、コントラスト比であり、図８の横軸は、レンチキュラー２３の角度である。図８には、導光板１０の厚みが０．４ｍｍである場合のコントラスト比が示されている。導光板１０の厚みは、レンチキュラー２３の高さを除外している。すなわち、レンチキュラ
ー２３の部分を除いた導光板１０の厚みが０．４ｍｍである。コントラスト比は、導光板１０の上面２１から出射される光の輝度の低い部分（低輝度部、図９のＡ点）を、導光板１０の上面２１から出射される光の輝度のピーク（輝度ピーク、図９のＢ点）で割った値である。図９の縦軸は、導光板１０の上面２１から出射される光の輝度であり、図９の横軸は、光源１１の光軸からの距離である。光源１１の光軸から図９のＡ点までの距離は、１００ｍｍである。図８に示すように、レンチキュラー２３の角度が３０度以上７０度以下の範囲において、コントラスト比が１／５０００以下であり、レンチキュラー２３の角度が４５度以上６０度以下の範囲において、コントラスト比が１／１００００付近の値である。図８に示すように、レンチキュラー２３の角度が３０度以上７０度以下の範囲において、レンチキュラー２３の角度が１５度である場合と比較して、コントラスト比が３倍以上に向上している。
【００３１】
図１０には、レンチキュラー２３の角度が４５度である場合における導光板１０の上面２１から出射される光の輝度分布と、レンチキュラー２３の角度が７５度である場合における導光板１０の上面２１から出射される光の輝度分布とが示されている。図１０の縦軸は、導光板１０の上面２１から出射される光の輝度であり、図１０の横軸は、光源１１の光軸からの距離である。図１０に示すように、光源１１の光軸からの距離が大きくなるにつれて、レンチキュラー２３の角度が４５度である場合における光の輝度よりも、レンチキュラー２３の角度が７５度である場合における光の輝度が大きくなる。レンチキュラー２３の角度が７５度である場合のコントラスト比は、レンチキュラー２３の角度が４５度である場合のコントラスト比よりも大きくなる。図８に示したように、レンチキュラー２３の角度が７０度より大きくなると、コントラスト比が１／５０００よりも大きくなる。
【００３２】
図１１は、導光板１０の厚みと、コントラスト比と、レンチキュラー２３の角度との関係を示す図である。図１１の縦軸は、コントラスト比であり、図１１の横軸は、レンチキュラー２３の角度である。図１１には、導光板１０の厚みが０．２ｍｍ、０．３ｍｍ、０．５ｍｍ、１．０ｍｍである場合のコントラスト比が示されている。導光板１０の厚みは、レンチキュラー２３の高さを除外している。すなわち、レンチキュラー２３の部分を除いた導光板１０の厚みが０．２ｍｍ、０．３ｍｍ、０．５ｍｍ、１．０ｍｍである。図１１では、コントラスト比を対数で示している。図１１に示すように、レンチキュラー２３の角度が３０度以上７５度以下の範囲において、レンチキュラー２３の角度が１５度である場合と比較して、コントラスト比が向上している。このように、導光板１０の厚みが０．２ｍｍ以上１．０ｍｍ以下である場合、レンチキュラー２３の角度を３０度以上７５度以下とすることにより、レンチキュラー２３の角度が１５度である場合と比較して、コントラスト比が向上する。
【００３３】
液晶表示装置の画面におけるモアレは、レンチキュラー２３のピッチが狭い方が発生しにくい。また、液晶表示装置の画面におけるモアレは、モアレピッチが狭い方が視認されにくい。例えば、導光板１０の厚みが１．０ｍｍ、レンチキュラー２３の角度が６５度、レンチキュラー２３の高さが０．０１２ｍｍ、レンチキュラー２３のピッチが０．０４２ｍｍ、曲率半径比率が０．０１２である場合、モアレピッチが１ｍｍ以下である。例えば、導光板１０の厚みが１．０ｍｍ、レンチキュラー２３の角度が６５度、レンチキュラー２３の高さが０．０４ｍｍ、レンチキュラー２３のピッチが０．１２６ｍｍ、曲率半径比率が０．０４である場合、モアレピッチが３ｍｍ程度である。曲率半径比率Ｒは、レンチキュラー２３の高さＨを導光板１０の厚みＴで割った値（Ｒ＝Ｈ／Ｔ）である。
【００３４】
図１２Ａに示すように、導光板１０の入光面２０側に複数の光源１１を配置してもよい。また、図１２Ｂに示すように、導光板１０の入光面２０側に複数の光源１１を配置すると共に、導光板１０の入光面２４側に複数の光源４１を配置してもよい。導光板１０の入光面２４は、導光板１０の入光面２０の反対側の面である。光源４１の構成は、光源１１
の構成と同様である。入光面２０は、第１の入光面の一例である。入光面２４は、第２の入光面の一例である。光源１１は、第１の光源の一例である。光源４１は、第２の光源の一例である。光源１１は、導光板１０の入光面２０と対向する位置に配置され、光源４１は、導光板１０の入光面２４と対向する位置に配置されている。光源１１から出射された光は、導光板１０の入光面２０から導光板１０の内部に入り、光源４１から出射された光は、導光板１０の入光面２４から導光板１０の内部に入る。
【００３５】
図１２Ａ及び図１２Ｂには、導光板１０の上面２１から出射される光の輝度分布が示されている。図１２Ａでは、一つの光源１１から出射された光が、導光板１０に入射されている。図１２Ｂでは、一つの光源１１及び一つの光源４１から出射された光が、導光板１０に入射されている。図１２Ｂでは、導光板１０の入光面２０及び入光面２４から光を入射することにより、導光板１０内の導光距離が短縮されている。そのため、図１２Ｂに示すように、導光板１０の上面２１から出射される光の輝度が、導光板１０の横幅方向（図１２ＢのＸ方向）に向かって広がることが抑制されている。
【００３６】
例えば、図３Ａ及び図３Ｂに示す導光板１０では、複数のレンチキュラー２３が、連続して配置され、隣り合う２つのレンチキュラー２３が繋がっている例を示した。図３Ａ及び図３Ｂに示す導光板１０の構成例に限定されず、複数のレンチキュラー２３は、一定の間隔を空けて配置されてもよい。例えば、図１３Ａに示すように、複数のレンチキュラー２３のうち隣り合うレンチキュラー２３の間に平坦部（平坦面）２５を設けるようにしてもよい。図１３Ａに示す導光板１０の構成例では、複数のレンチキュラー２３が、一定の間隔を空けて、互いに平行に並んで配置されている。図１３Ａに示す導光板１０の構成例では、複数のレンチキュラー２３の曲面２３Ａ及び複数の平坦部２５によって、導光板１０の上面２１が形成されている。平坦部（平坦面）２５は、平板部３０の平面３１と同一面である。したがって、図１３Ａに示す導光板１０の構成例では、複数のレンチキュラー２３の曲面２３Ａ及び平板部３０の平面３１によって、導光板１０の上面２１が形成されている。平坦部２５は、導光板１０の下面２２と平行であってもよい。図１３Ａに示すレンチキュラー２３の角度は、例えば８０度である。導光板１０の上面２１に、複数のレンチキュラー２３を設けると共に、隣り合うレンチキュラー２３の間に平坦部２５を設けることで、レンチキュラー２３の角度が７０度より大きい場合であっても、コントラスト比を１／５０００よりも小さくすることができる。なお、図１３Ａに示すレンチキュラー２３の角度は、８０度以外であってもよく、例えば、３０度以上７０度以下であってもよいし、４５度以上６０度以下であってもよい。
【００３７】
図１３Ｂには、平坦部２５が設けられていない導光板１０の上面２１から出射される光の輝度分布と、平坦部２５が設けられた導光板１０の上面２１から出射される光の輝度分布とが示されている。平坦部２５が設けられていない導光板１０には、複数のレンチキュラー２３が、平板部３０の平面３１に隙間なく配置されている。平坦部２５が設けられた導光板１０には、複数のレンチキュラー２３が、一定の間隔を空けて配置されている。図１３Ｂの縦軸は、導光板１０の上面２１から出射される光の輝度であり、図１３Ｂの横軸は、光源１１の光軸からの距離である。平坦部２５が設けられていない導光板１０におけるレンチキュラー２３の角度は６０度であり、平坦部２５が設けられた導光板１０におけるレンチキュラー２３の角度は８０度である。レンチキュラー２３の部分を除いた導光板１０の厚みは０．４ｍｍである。図１３Ｂに示すように、平坦部２５が設けられていない導光板１０の上面２１から出射される光の輝度分布と、平坦部２５が設けられた導光板１０の上面２１から出射される光の輝度分布とが同等である。このように、レンチキュラー２３の角度が８０度である場合であっても、導光板１０の上面２１に、複数のレンチキュラー２３を設けると共に、隣り合うレンチキュラー２３の間に平坦部２５を設けることで、導光板１０の上面２１から出射される光の輝度分布の制御を向上することができる。
【００３８】
図１３Ｃには、平坦部２５が設けられていない導光板１０におけるコントラスト比と、平坦部２５が設けられた導光板１０におけるコントラスト比とが示されている。レンチキュラー２３の部分を除いた導光板１０の厚みは０．４ｍｍである。導光板１０の上面２１に、複数のレンチキュラー２３を設けると共に、隣り合うレンチキュラー２３の間に平坦部２５を設けることで、レンチキュラー２３の角度が８０度の場合であっても、コントラスト比を１／５０００よりも小さくすることができることが、図１３Ｃから確認できる。平坦部２５が設けられた導光板１０について、レンチキュラー２３の部分を除いた導光板１０の厚みが０．２ｍｍ、０．３ｍｍ、０．５ｍｍ、１．０ｍｍである場合も、レンチキュラー２３の部分を除いた導光板１０の厚みが０．４ｍｍである場合と同様の効果を得ることができる。また、平坦部２５が設けられた導光板１０は、レンチキュラー２３の角度が３０度以上７０度以下の範囲において、平坦部２５が設けられていない導光板１０と同様の効果を得ることができる。すなわち、平坦部２５が設けられた導光板１０によれば、レンチキュラー２３の角度が３０度以上８０度以下の範囲において、コントラスト比が１／５０００以下であり、レンチキュラー２３の角度が４５度以上６０度以下の範囲において、コントラスト比が１／１００００付近の値になる。
【００３９】
レンチキュラー２３の高さ及び曲率半径を変更することにより、レンチキュラー２３の角度を調整してもよい。レンチキュラー２３の高さを一定にして、レンチキュラー２３の曲率半径を変更することにより、レンチキュラー２３の角度を調整してもよい。レンチキュラー２３の曲率半径を一定にして、レンチキュラー２３の高さを変更することにより、レンチキュラー２３の角度を調整してもよい。
【００４０】
例えば、図３Ａ及び図３Ｂに示す導光板１０では、複数のレンチキュラー２３が、平板部３０の平面３１に設けられ、各レンチキュラー２３が、平板部３０の平面３１の法線方向から見て、導光板１０の入光面２０に対して垂直方向に延在する凸条である例を示した。図３Ａ及び図３Ｂに示す導光板１０の構成例に限定されず、図１４Ａに示すように、複数のレンチキュラー３３が、平板部３０の平面３２に設けられ、各レンチキュラー３３が、平板部３０の平面３２の法線方向から見て、導光板１０の入光面２０に対して垂直方向に延在する凸条であってもよい。平板部３０の平面３２は、平板部３０の平面３１の反対側の面である。複数のレンチキュラー３３は、曲面３３Ａを有している。曲面３３Ａは、平面３２に対して傾斜している。したがって、レンチキュラー３３は、平面３２に対して傾斜する傾斜面を有する。
【００４１】
図１４Ａに示す導光板１０の構成例では、平板部３０の平面によって、導光板１０の上面２１が形成されており、導光板１０の上面２１から光が出射される。また、図１４Ａに示す導光板１０の構成例では、複数のレンチキュラー３３の曲面３３Ａによって、導光板１０の下面２２が形成されている。レンチキュラー３３の角度は、平板部３０の平面３２と、レンチキュラー３３の端部における曲面３３Ａの接線Ｌ２とでなす角度（θ）である（図１４Ｂ参照）。導光板１０の下面２２側にレンチキュラー３３を設けた場合であっても、導光板１０の上面２１側にレンチキュラー２３を設けた場合と同様に、導光板１０の上面２１から出射される光の輝度の広がりを抑制することができる。また、導光板１０の上面２１側にレンチキュラー２３を設けると共に、導光板１０の下面２２側にレンチキュラー３３を設けてもよい。また、複数のレンチキュラー３３が、一定の間隔を空けて平板部３０の平面３２に配置されてもよい。
【００４２】
例えば、図３Ａ及び図３Ｂに示す導光板１０では、レンチキュラー２３が、平板部３０の平面３１に設けられた凸条である例を示した。図３Ａ及び図３Ｂに示す導光板１０の構成例に限定されず、図１５及び図１６Ａに示すように、複数のレンチキュラー２３が、平板部３０の平面３１に設けられ、各レンチキュラー２３が、平板部３０の平面３１の法線方向から見て、導光板１０の入光面２０に対して垂直方向に延在する凹条であってもよい
。複数のレンチキュラー２３は、曲面２３Ｂを有している。曲面２３Ｂは、平面３１に対して傾斜している。したがって、レンチキュラー２３は、平面３１に対して傾斜する傾斜面を有する。複数のレンチキュラー２３の曲面２３Ｂによって、導光板１０の上面２１が形成されている。レンチキュラー２３の曲面２３Ｂが、平板部３０の平面３１の法線方向に向かって平板部３０の平面３１よりも凹んでいる。
【００４３】
導光板１０がレンチキュラー２３を備えることにより、導光板１０の上面２１から出射される光の分布が制御され、導光板１０の上面２１から出射される光の輝度分布を制御できる。複数のレンチキュラー２３は、互いに平行に並んで配置されている。図１５、図１６Ａ及び図１６Ｂに示す導光板１０の構成例では、複数のレンチキュラー２３が、連続して配置されており、隣り合う２つのレンチキュラー２３同士が繋がっている。したがって、図１５、図１６Ａ及び図１６Ｂに示す導光板１０の構成例では、複数のレンチキュラー２３が、平板部３０の平面３１に隙間なく配置されている。図１５、図１６Ａ及び図１６Ｂに示す導光板１０の構成例では、レンチキュラー２３の幅と、レンチキュラー２３のピッチとが同一である。レンチキュラー２３の角度は、平板部３０の平面３１と、レンチキュラー２３の端部における曲面２３Ｂの接線Ｌ３とでなす角度（θ）である（図１６Ｂ参照）。
【００４４】
複数のレンチキュラー２３が凹条であっても、レンチキュラー２３の角度が３０度以上７０度以下の範囲において、コントラスト比を１／５０００以下にすることが可能である。また、複数のレンチキュラー２３が凹条であっても、レンチキュラー２３の角度が４５度以上６０度以下の範囲において、コントラスト比を１／１００００付近の値にすることが可能である。また、複数のレンチキュラー２３が凹条であっても、レンチキュラー２３の部分を除いた導光板１０の厚みが０．２ｍｍ以上１．０ｍｍ以下である場合、レンチキュラー２３の角度を３０度以上７５度以下とすることにより、コントラスト比を向上することが可能である。
【００４５】
１５、図１６Ａ及び図１６Ｂに示す導光板１０の構成例に限定されず、複数のレンチキュラー２３は、一定の間隔を空けて配置されてもよい。例えば、図１７に示すように、複数のレンチキュラー２３のうち隣り合うレンチキュラー２３の間に平坦部２５を設けるようにしてもよい。図１７に示す導光板１０の構成例では、複数のレンチキュラー２３が、一定の間隔を空けて、互いに平行に並んで配置されている。図１７に示す導光板１０の構成例では、複数のレンチキュラー２３の曲面２３Ｂ及び複数の平坦部２５によって、導光板１０の上面２１が形成されている。平坦部（平坦面）２５は、平板部３０の平面３１と同一面である。したがって、図１７に示す導光板１０の構成例では、複数のレンチキュラー２３の曲面２３Ｂ及び平板部３０の平面３１によって、導光板１０の上面２１が形成されている。平坦部２５は、導光板１０の下面２２と平行であってもよい。図１７に示すレンチキュラー２３の角度は、例えば８０度である。導光板１０の上面２１に、複数のレンチキュラー２３を設けると共に、隣り合うレンチキュラー２３の間に平坦部２５を設けることで、レンチキュラー２３の角度が７０度より大きい場合であっても、コントラスト比を１／５０００よりも小さくすることができる。なお、図１７に示すレンチキュラー２３の角度は、８０度以外であってもよく、例えば３０度以上７０度以下であってもよいし、４５度以上６０度以下であってもよい。
【００４６】
また、図１８に示すように、複数のレンチキュラー２３が、平板部３０の平面３１に設けられ、複数のレンチキュラー２３のうちの一部が凸条であり、複数のレンチキュラー２３のうちの他の一部が凹条であってもよい。図１８に示すように、複数の凸条が隣り合うようにして配置され、複数の凹条が隣り合うようにして配置されている。図１８に示す導光板１０の構成例では、複数のレンチキュラー２３が、平板部３０の平面３１に隙間なく配置されている。すなわち、複数の凸条及び複数の凹条が、平板部３０の平面３１に隙間
なく配置されている。図１８に示す導光板１０の構成例に限定されず、例えば、一つ以上の凸条と一つ以上の凹条とが交互に平板部３０の平面３１に配置されてもよい。図１３Ａ及び図１７に示す導光板１０の構成例と同様に、複数のレンチキュラー２３のうち隣り合うレンチキュラー２３の間に平坦部２５を設けることにより、複数の凸条及び複数の凹条が、一定の間隔を空けて平板部３０の平面３１に配置されてもよい。複数の凸条が、一定の間隔を空けて平板部３０の平面３１に配置され、複数の凹条が、隙間なく平板部３０の平面３１に配置されてもよい。複数の凸条が、隙間なく平板部３０の平面３１に配置され、複数の凹条が、一定の間隔を空けて平板部３０の平面３１に配置されてもよい。また、複数の凸条及び複数の凹条が、一定の間隔を空けて平板部３０の平面３２に配置されてもよい。複数の凸条が、一定の間隔を空けて平板部３０の平面３２に配置され、複数の凹条が、隙間なく平板部３０の平面３２に配置されてもよい。複数の凸条が、隙間なく平板部３０の平面３２に配置され、複数の凹条が、一定の間隔を空けて平板部３０の平面３２に配置されてもよい。
【００４７】
以上説明した実施形態の導光板１０によれば、レンチキュラー２３の角度を３０度以上７０度以下とすることにより、導光板１０の上面２１から出射される光の輝度の広がりを抑制することができるため、コントラスト比が向上する。導光板１０の上面２１から出射される光の輝度の広がりを抑制することができるため、ローカルディミング制御において、狭い幅の領域における発光輝度の制御が容易となる。また、実施形態の導光板１０によれば、レンチキュラー２３の角度を４５度以上６０度以下とすることにより、コントラスト比が更に向上する。そのため、このような導光板１０を備える面光源装置１をバックライトとして搭載することで、コントラスト比が向上した液晶表示装置を提供することができる。
【００４８】
図１９Ａ及び図１９Ｂは、実施形態に係る導光板１０を示す図である。図１９Ａ及び図１９Ｂに示す導光板１０の構成例では、導光板１０が、平板部３０の平面３１に設けられた複数のレンチキュラー２３を備え、各レンチキュラー２３が、曲面２３Ａ及び平坦面５１Ａを有する。各レンチキュラー２３は、平板部３０の平面３１の法線方向から見て、導光板１０の入光面２０に対して垂直方向に延在する凸条である。曲面２３Ａ及び平坦面５１Ａは、平面３１に対して傾斜している。したがって、レンチキュラー２３は平面３１に対して傾斜する傾斜面を有する。
【００４９】
図１９Ａに示す導光板１０の構成例では、複数のレンチキュラー２３が、連続して配置されており、隣り合うレンチキュラー２３同士が繋がっている。隣り合う２つのレンチキュラー２３における向かい合う２つの平坦面５１Ａが互いに接続されている。したがって、複数のレンチキュラー２３が、平板部３０の平面３１に隙間なく配置されている。図１９Ｂに示す導光板１０の構成例では、隣り合うレンチキュラー２３の間に平坦部２５が設けられている。平坦部２５が、隣り合うレンチキュラー２３の各平坦面５１Ａに接続されている。したがって、複数のレンチキュラー２３が、一定の間隔を空けて、互いに平行に並んで配置されている。
【００５０】
図１９Ｃ〜図１９Ｅは、実施形態に係る導光板１０を示す図である。図１９Ｃ〜図１９Ｅに示す導光板１０の構成例では、レンチキュラー２３の角度が６０度であるが、レンチキュラー２３の角度は６０度以外であってもよい。レンチキュラー２３の角度は、例えば、３０度以上８０度以下であってもよいし、３０度以上７０度以下であってもよいし、４５度以上６０度以下であってもよい。レンチキュラー２３の角度は、平板部３０の平面３１と、レンチキュラー２３の端部における平坦面５１Ａとでなす角度（θ）である。
【００５１】
図１９Ｃ〜図１９Ｅに示すように、レンチキュラー２３は、導光板１０の入光面２０の法線方向から見て、台形状部分５２Ａと、台形状部分５２Ａの上底に接する円弧形状部分
５３Ａとを含む。台形状部分５２Ａの上底の長さは、台形状部分５２Ａの下底の長さよりも短い。台形状部分５２Ａが平板部３０の平面３１に接しており、円弧形状部分５３Ａが平板部３０の平面３１から離間している。図１９Ｃに示す導光板１０の構成例では、台形状部分５２Ａの高さが、台形状部分５２Ａの高さ及び円弧形状部分５３Ａの高さの合計値の５０％である。図１９Ｄに示す導光板１０の構成例では、台形状部分５２Ａの高さが、台形状部分５２Ａの高さ及び円弧形状部分５３Ａの高さの合計値の８０％である。図１９Ｅに示す導光板１０の構成例では、台形状部分５２Ａの高さが、台形状部分５２Ａの高さ及び円弧形状部分５３Ａの高さの合計値の９０％である。台形状部分５２Ａの高さ及び円弧形状部分５３Ａの高さの合計値に対する台形状部分５２Ａの高さの割合は、５０％、８０％及び９０％に限定されない。台形状部分５２Ａの高さ及び円弧形状部分５３Ａの高さの合計値に対する台形状部分５２Ａの高さの割合は、０％以上１００％以下であってもよい。
【００５２】
図２０Ａには、レンチキュラー２３の角度が６０度である場合における導光板１０の上面２１から出射される光の輝度分布が示されている。図２０Ａの縦軸は、導光板１０の上面２１から出射される光の輝度であり、図２０Ａの横軸は、光源１１の光軸からの距離である。図２０Ａには、台形状部分５２Ａの高さ及び円弧形状部分５３Ａの高さの合計値に対する台形状部分５２Ａの高さの割合が、０％、５０％、８０％及び９０％である場合の光の輝度分布が示されている。台形状部分５２Ａの高さ及び円弧形状部分５３Ａの高さの合計値に対する台形状部分５２Ａの高さの割合が０％である場合、レンチキュラー２３は、円弧形状部分５３Ａを有するが、台形状部分５２Ａを有しない。したがって、台形状部分５２Ａの高さ及び円弧形状部分５３Ａの高さの合計値に対する台形状部分５２Ａの高さの割合が０％である場合、レンチキュラー２３は、曲面２３Ａを有するが、平坦面５１Ａを有しない。
【００５３】
図２０Ａから分かるように、導光板１０の上面２１から出射される光の輝度分布について、レンチキュラー２３が曲面２３Ａのみを有する場合と、レンチキュラー２３が曲面２３Ａ及び平坦面５１Ａを有する場合との間で差が殆どない。このように、レンチキュラー２３が曲面２３Ａ及び平坦面５１Ａを有する場合、レンチキュラー２３が曲面２３Ａのみを有する場合と同様の効果を得ることができる。また、レンチキュラー２３の角度が３０度以上８０度以下であり、かつ、レンチキュラー２３が曲面２３Ａ及び平坦面５１Ａを有する場合についても、レンチキュラー２３が曲面２３Ａのみを有する場合と同様の効果を得ることができる。
【００５４】
図２０Ｂには、レンチキュラー２３の角度が６０度である場合のコントラスト比が示されている。図２０Ｂには、台形状部分５２Ａの高さ及び円弧形状部分５３Ａの高さの合計値に対する台形状部分５２Ａの高さの割合が、０％、５０％、８０％及び９０％である場合のコントラスト比が示されている。図２０Ｂから分かるように、コントラスト比について、レンチキュラー２３が曲面２３Ａのみを有する場合と、レンチキュラー２３が曲面２３Ａ及び平坦面５１Ａを有する場合との間で差が殆どない。このように、レンチキュラー２３が曲面２３Ａ及び平坦面５１Ａを有する場合、レンチキュラー２３が曲面２３Ａのみを有する場合と同様の効果を得ることができる。したがって、レンチキュラー２３の角度が３０度以上８０度以下であり、かつ、レンチキュラー２３が曲面２３Ａ及び平坦面５１Ａを有することにより、コントラスト比を向上することができる。
【００５５】
図２１Ａ及び図２１Ｂは、実施形態に係る導光板１０を示す図である。図２１Ａ及び図２１Ｂに示す導光板１０の構成例では、導光板１０が、平板部３０の平面３１に設けられた複数のレンチキュラー２３を備え、各レンチキュラー２３が、曲面２３Ｂ及び平坦面５１Ｂを有する。各レンチキュラー２３は、平板部３０の平面３１の法線方向から見て、導光板１０の入光面２０に対して垂直方向に延在する凹条である。曲面２３Ｂ及び平坦面５
１Ｂは、平面３１に対して傾斜している。したがって、レンチキュラー２３は平面３１に対して傾斜する傾斜面を有する。
【００５６】
図２１Ａに示す導光板１０の構成例では、複数のレンチキュラー２３が、連続して配置されており、隣り合うレンチキュラー２３同士が繋がっている。隣り合う２つのレンチキュラー２３における２つの平坦面５１Ｂが互いに接続されている。したがって、複数のレンチキュラー２３が、平板部３０の平面３１に隙間なく配置されている。図２１Ｂに示す導光板１０の構成例では、隣り合うレンチキュラー２３の間に平坦部２５が設けられている。平坦部２５が、隣り合うレンチキュラー２３の各平坦面５１Ｂに接続されている。したがって、複数のレンチキュラー２３が、一定の間隔を空けて、互いに平行に並んで配置されている。
【００５７】
図２１Ｃは、実施形態に係る導光板１０を示す図である。図２１Ｃに示す導光板１０の構成例では、レンチキュラー２３の角度が６０度であるが、レンチキュラー２３の角度は６０度以外であってもよい。レンチキュラー２３の角度は、例えば、３０度以上８０度以下であってもよいし、３０度以上７０度以下であってもよいし、４５度以上６０度以下であってもよい。レンチキュラー２３の角度は、平板部３０の平面３１と、レンチキュラー２３の端部における平坦面５１Ｂとでなす角度（θ）である。レンチキュラー２３の角度が３０度以上８０度以下であり、かつ、レンチキュラー２３が曲面２３Ｂ及び平坦面５１Ｂを有することにより、コントラスト比を向上することができる。
【００５８】
図２１Ｃに示すように、レンチキュラー２３は、導光板１０の入光面２０の法線方向から見て、台形状部分５２Ｂと、台形状部分５２Ｂの下底に接する円弧形状部分５３Ｂとを含む。台形状部分５２Ｂの下底の長さは、台形状部分５２Ｂの上底の長さよりも短い。台形状部分５２Ｂが平板部３０の平面３１に接しており、円弧形状部分５３Ｂが平板部３０の平面３１から離間している。図２１Ｃに示す導光板１０の構成例では、台形状部分５２Ｂの高さが、台形状部分５２Ｂの高さ及び円弧形状部分５３Ｂの高さの合計値の５０％である。台形状部分５２Ｂの高さ及び円弧形状部分５３Ｂの高さの合計値に対する台形状部分５２Ｂの高さの割合は、５０％に限定されない。台形状部分５２Ｂの高さ及び円弧形状部分５３Ｂの高さの合計値に対する台形状部分５２Ｂの高さの割合は、０％以上１００％以下であってもよい。
【００５９】
図２２Ａ及び図２２Ｂは、実施形態に係る導光板１０を示す図である。図２２Ａ及び図２２Ｂに示す導光板１０の構成例では、導光板１０が、平板部３０の平面３２に設けられた複数のレンチキュラー３３を備え、各レンチキュラー３３が、曲面３３Ａ及び平坦面６１Ａを有する。各レンチキュラー３３は、平板部３０の平面３２の法線方向から見て、導光板１０の入光面２０に対して垂直方向に延在する凸条である。曲面３３Ａ及び平坦面６１Ａは、平面３２に対して傾斜している。したがって、レンチキュラー３３は平面３２に対して傾斜する傾斜面を有する。
【００６０】
図２２Ａに示す導光板１０の構成例では、複数のレンチキュラー３３が、連続して配置されており、隣り合うレンチキュラー３３同士が繋がっている。隣り合う２つのレンチキュラー３３における向かい合う２つの平坦面６１Ａが互いに接続されている。したがって、複数のレンチキュラー３３が、平板部３０の平面３２に隙間なく配置されている。図２２Ｂに示す導光板１０の構成例では、隣り合うレンチキュラー３３の間に平坦部２５が設けられている。平坦部２５が、隣り合うレンチキュラー３３の各平坦面６１Ａに接続されている。したがって、複数のレンチキュラー３３が、一定の間隔を空けて、互いに平行に並んで配置されている。
【００６１】
図２２Ｃは、実施形態に係る導光板１０を示す図である。図２２Ｃに示す導光板１０の
構成例では、レンチキュラー３３の角度が６０度であるが、レンチキュラー３３の角度は６０度以外であってもよい。レンチキュラー３３の角度は、例えば、３０度以上８０度以下であってもよいし、３０度以上７０度以下であってもよいし、４５度以上６０度以下であってもよい。レンチキュラー３３の角度は、平板部３０の平面３２と、レンチキュラー３３の端部における平坦面６１Ａとでなす角度（θ）である。レンチキュラー３３の角度が３０度以上８０度以下であり、かつ、レンチキュラー３３が曲面３３Ａ及び平坦面６１Ａを有することにより、コントラスト比を向上することができる。
【００６２】
図２２Ｃに示すように、レンチキュラー３３は、導光板１０の入光面２０の法線方向から見て、台形状部分６２Ａと、台形状部分６２Ａの下底に接する円弧形状部分６３Ａとを含む。台形状部分６２Ａの下底の長さは、台形状部分６２Ａの上底の長さよりも短い。台形状部分６２Ａが平板部３０の平面３２に接しており、円弧形状部分６３Ａが平板部３０の平面３２から離間している。図２２Ｃに示す導光板１０の構成例では、台形状部分６２Ａの高さが、台形状部分６２Ａの高さ及び円弧形状部分６３Ａの高さの合計値の５０％である。台形状部分６２Ａの高さ及び円弧形状部分６３Ａの高さの合計値に対する台形状部分６２Ａの高さの割合は、５０％に限定されない。台形状部分６２Ａの高さ及び円弧形状部分６３Ａの高さの合計値に対する台形状部分６２Ａの高さの割合は、０％以上１００％以下であってもよい。
【００６３】
図２３Ａ及び図２３Ｂは、実施形態に係る導光板１０を示す図である。図２３Ａ及び図２３Ｂに示す導光板１０の構成例では、導光板１０が、平板部３０の平面３２に設けられた複数のレンチキュラー３３を備え、各レンチキュラー３３が、曲面３３Ｂ及び平坦面６１Ｂを有する。各レンチキュラー３３は、平板部３０の平面３２の法線方向から見て、導光板１０の入光面２０に対して垂直方向に延在する凹条である。曲面３３Ｂ及び平坦面６１Ｂは、平面３２に対して傾斜している。したがって、レンチキュラー３３は平面３２に対して傾斜する傾斜面を有する。
【００６４】
図２３Ａに示す導光板１０の構成例では、複数のレンチキュラー３３が、連続して配置されており、隣り合うレンチキュラー３３同士が繋がっている。隣り合う２つのレンチキュラー３３における向かい合う２つの平坦面６１Ｂが互いに接続されている。したがって、複数のレンチキュラー３３が、平板部３０の平面３２に隙間なく配置されている。図２３Ｂに示す導光板１０の構成例では、隣り合うレンチキュラー３３の間に平坦部２５が設けられている。平坦部２５が、隣り合うレンチキュラー３３の各平坦面６１Ｂに接続されている。したがって、複数のレンチキュラー３３が、一定の間隔を空けて、互いに平行に並んで配置されている。
【００６５】
図２３Ｃは、実施形態に係る導光板１０を示す図である。図２３Ｃに示す導光板１０の構成例では、レンチキュラー３３の角度が６０度であるが、レンチキュラー３３の角度は６０度以外であってもよい。レンチキュラー３３の角度は、例えば、３０度以上８０度以下であってもよいし、３０度以上７０度以下であってもよいし、４５度以上６０度以下であってもよい。レンチキュラー３３の角度は、平板部３０の平面３２と、レンチキュラー３３の端部における平坦面６１Ｂとでなす角度（θ）である。レンチキュラー３３の角度が３０度以上８０度以下であり、かつ、レンチキュラー３３が曲面３３Ｂ及び平坦面６１Ｂを有することにより、コントラスト比を向上することができる。
【００６６】
図２３Ｃに示すように、レンチキュラー３３は、導光板１０の入光面２０の法線方向から見て、台形状部分６２Ｂと、台形状部分６２Ｂの上底に接する円弧形状部分６３Ｂとを含む。台形状部分６２Ｂの上底の長さは、台形状部分６２Ｂの下底の長さよりも短い。台形状部分６２Ｂが平板部３０の平面３２に接しており、円弧形状部分６３Ｂが平板部３０の平面３２から離間している。図２３Ｃに示す導光板１０の構成例では、台形状部分６２
Ｂの高さが、台形状部分６２Ｂの高さ及び円弧形状部分６３Ｂの高さの合計値の５０％である。台形状部分６２Ｂの高さ及び円弧形状部分６３Ｂの高さの合計値に対する台形状部分６２Ｂの高さの割合は、５０％に限定されない。台形状部分６２Ｂの高さ及び円弧形状部分６３Ｂの高さの合計値に対する台形状部分６２Ｂの高さの割合は、０％以上１００％以下であってもよい。
【００６７】
液晶表示装置で動画像を表示する場合において、液晶のスキャンに合わせて、複数の光源１１、４１の一部を非点灯状態とし、画面内を部分的に黒領域にすることで、液晶の切り替わりを視認させないようにして動画像における残像を低減することができる。このような動画像における残像を低減する技術は、バックライトスキャンと呼ばれる。実施形態に係る液晶表示装置によれば、導光板１０の上面２１から出射される光の輝度の広がりを抑制することができるため、画面内の部分的な黒領域の表示制御を向上することができる。また、このような液晶表示装置は、ＶＲ（Virtual Reality：仮想現実）技術を用いた
コンテンツを表示する場合にも用いることができる。
【００６８】
更に、このような液晶表示装置は、各種の電子機器に搭載することができる。このような液晶表示装置を備えた電子機器として、スマートフォン、デジタルカメラ、タブレット端末、電子ブック、ウェアラブル機器、カーナビゲーション装置、電子辞書、電子広告板等を例示できる。
【符号の説明】
【００６９】
１    面光源装置
２    表示パネル
１０  導光板
１１、４１  光源
１２  ＦＰＣ
１３  固定部材
１４  フレーム
１５  反射シート
１６  拡散シート
１７  プリズムシート
１８  遮光両面テープ
２３、３３  レンチキュラー
２３Ａ、２３Ｂ、３３Ａ、３３Ｂ  曲面
３０  平板部
３１、３２  平面
５１Ａ、５１Ｂ、６１Ａ、６１Ｂ  平坦面
【図１】
2019029334.tif 000003
【図２】
2019029334.tif 000004
【図３Ａ】
2019029334.tif 000005
【図３Ｂ】
2019029334.tif 000006
【図４Ａ】
2019029334.tif 000007
【図４Ｂ】
2019029334.tif 000008
【図４Ｃ】
2019029334.tif 000009
【図５Ａ】
2019029334.tif 000010
【図５Ｂ】
2019029334.tif 000011
【図５Ｃ】
2019029334.tif 000012
【図６】
2019029334.tif 000013
【図７】
2019029334.tif 000014
【図８】
2019029334.tif 000015
【図９】
2019029334.tif 000016
【図１０】
2019029334.tif 000017
【図１１】
2019029334.tif 000018
【図１２Ａ】
2019029334.tif 000019
【図１２Ｂ】
2019029334.tif 000020
【図１３Ａ】
2019029334.tif 000021
【図１３Ｂ】
2019029334.tif 000022
【図１３Ｃ】
2019029334.tif 000023
【図１４Ａ】
2019029334.tif 000024
【図１４Ｂ】
2019029334.tif 000025
【図１５】
2019029334.tif 000026
【図１６Ａ】
2019029334.tif 000027
【図１６Ｂ】
2019029334.tif 000028
【図１７】
2019029334.tif 000029
【図１８】
2019029334.tif 000030
【図１９Ａ】
2019029334.tif 000031
【図１９Ｂ】
2019029334.tif 000032
【図１９Ｃ】
2019029334.tif 000033
【図１９Ｄ】
2019029334.tif 000034
【図１９Ｅ】
2019029334.tif 000035
【図２０Ａ】
2019029334.tif 000036
【図２０Ｂ】
2019029334.tif 000037
【図２１Ａ】
2019029334.tif 000038
【図２１Ｂ】
2019029334.tif 000039
【図２１Ｃ】
2019029334.tif 000040
【図２２Ａ】
2019029334.tif 000041
【図２２Ｂ】
2019029334.tif 000042
【図２２Ｃ】
2019029334.tif 000043
【図２３Ａ】
2019029334.tif 000044
【図２３Ｂ】
2019029334.tif 000045
【図２３Ｃ】
2019029334.tif 000046